(57)【要約】    本発明は、空間（5）を画定する少なくとも１つの壁（10）及び天井（4）と、電気機器（2）に電力を供給可能な第１の電気コネクタ（14）とを備え、該第１電気コネクタ（14）は、電気機器（2）に電力を供給するために上記空間内に延びる取り外し可能な仕切り（20）に固定された第２電気コネクタと電気的に接続されるように構成され、上記第１電気コネクタ（14）は、上記壁（10）又は上記天井（4）のいくつかの点において上記第２電気コネクタ（24）との電気的接続が可能に構成されている。
2018530689.tif 000002
【特許請求の範囲】
【請求項１】
部屋（1）であって、
２つの側方端部（13）によって分離された下端（11）と上端（12）とを有し、空間（5）を画定する少なくとも１つの壁（10）と、
上記壁（10）の上記上端（11）に隣接する第１の側部と、該第１の側部から離れた第２の側部とを有する天井（4）と、
上記壁（10）又は上記天井（4）に固定され、電気機器（2）に電力供給可能な第１電気コネクタ（14）とを備え、
上記第１電気コネクタ（14）は、電気機器（2）に電力を供給するために上記空間内に延びる取り外し可能な仕切り（20）に固定された第２電気コネクタと電気的に接続されるように構成され、
上記第１電気コネクタ（14）は、上記壁（10）の上記２つの側方端部（13）間のいくつかの点、及び／又は上記天井（4）の上記第１及び第２の側部の間のいくつかの点において上記第２電気コネクタ（24）との電気的接続が可能に構成され、
第１電気コネクタ（14）は、上記壁（10）の上記２つの側方端部（13）の間、及び／又は天井（4）の第１及び第２の側部の間のいくつかの点において延びる接続ストリップを備え、該接続ストリップの任意の点で上記第２電気コネクタ（24）との電気的接続が可能になるように構成されている
部屋。
【請求項２】
上記空間内に延び、上記第１電気コネクタ（14）に電気的に接続されるように構成された第２電気コネクタを有する取外し可能な仕切りをさらに備える
請求項１に記載の部屋。
【請求項３】
上記第１電気コネクタ（14）は、電気ストリップタイプの予め配線されたベースボード上に固定された可動電源ソケットを備えている
請求項１又は２に記載の部屋。
【請求項４】
上記第１電気コネクタ（14）は、上記接続ストリップを形成する少なくとも３つの導電性ブレード（17）を備え、該導電性ブレード（17）は、上記壁（10）の上記２つの側方端部（13）の間、及び／又は上記天井（4）の第１及び第２の側部との間のいくつかの点において、互いに実質的に平行に延び、上記各導電性ブレードは、アース、グランド及び位相のそれぞれ対応する専用電線（18）に接続され、
上記第２電気コネクタ（24）は、上記３つの導電性ブレード（17）のいずれかとそれぞれ接触するように構成された３つの導電性接点（25）を有する電源ソケットを備えている
請求項２に記載の部屋。
【請求項５】
上記３つの導電性ブレードと上記３つの導電性接点（25）は、絶縁材料によって互いに分離されている
請求項４に記載の部屋。
【請求項６】
上記第１電気コネクタ（14）が、上記壁（10）の上記２つの側方端部（13）間、及び/又は上記天井（4）の上記第１及び第２の側部の間のいくつかの点で分配された複数の別個の電源ソケットを備えている
請求項１に記載の部屋。
【請求項７】
上記壁（10）の上記下端（11）に隣接する床（3）をさらに備え、上記第２電気コネクタ（24）は、上記部屋（1）の上記天井（4）又は上記床（3）に隣接している
請求項２が組み合わされた請求項１乃至６のいずれか１つに記載の部屋。
【請求項８】
上記壁（10）の上記下端（11）に隣接する床（3）をさらに備え、上記天井（4）及び／又は上記床（3）及び／又は上記壁（10）は、上記仕切り（20）を上記壁（10）に対する所定位置に維持するための該仕切り（20）の固定手段（32,35）を備えている
請求項２が組み合わされた請求項１乃至７のいずれか１つに記載の部屋。
【請求項９】
上記固定手段（32,35）は、
上記天井（4）、上記床（3）、及び/又は上記壁（10）に固定され、上記仕切り（20）の端部（23）を受け入れるように構成された少なくとも１つのレール（32）と、
上記仕切り（20）と上記天井（4）及び/又は上記床（3）及び/又は上記壁（10）との間の距離を調整するように構成されたシリンダ（35）と、
一方は上記天井（4）及び/又は上記床（3）及び/又は上記壁（10）に、他方は上記仕切り（20）の上記端部（23）に対向する領域にそれぞれ形成されたラッチ部材と
の少なくとも１つを備えている
請求項８に記載の部屋。
【請求項１０】
上記仕切り（20）は、上記第２電気コネクタ（24）から第３電気コネクタ（24）に延び、電気機器（2）に電力を供給可能な電気ケーブル（29）をさらに備えている
請求項２が組み合わされた請求項１乃至９のいずれか１つに記載の部屋。
【請求項１１】
追加の仕切り（20）をさらに備え、該追加の仕切り（20）は、上記第１電気コネクタ（14）に接続されるように構成された追加電気コネクタ（31）をさらに備えている
請求項２が組み合わされた請求項１乃至１０のいずれか１つに記載の部屋。
【請求項１２】
上記追加電気コネクタ（31）は、上記第１電気コネクタ（14）に直接的に、又は上記第２電気コネクタ（14）によって上記第１電気コネクタ（14）に間接的に接続されるように構成されている
請求項１１に記載の部屋。
【請求項１３】
上記第１電気コネクタ（14）に接続された回路遮断器をさらに備えている
請求項１乃至１２のいずれか１つに記載の部屋。
【請求項１４】
上記空間内に延び、上記第１電気コネクタに電気的に接続されるように構成された第２電気コネクタを有する取り外し可能な仕切りをさらに備える請求項１乃至１３のいずれか１つに記載の部屋（1）のレイアウト方法であって、
上記部屋（1）の上記壁（10）の上記２つの側方端部（13）の間、及び／又は上記部屋（1）の上記天井（4）の上記第１及び第２の側部の間に、上記第１電気コネクタ（14）が電気機器（2）に電力供給可能なように、上記第１電気コネクタ（14）を固定するステップ（S1）と、
上記空間（5）内に、取り外し可能な仕切り（20）を固定するステップ（S3）とを備え、
上記壁（10）の上記２つの側方端部（13）の間に位置する上記第１電気コネクタ（14）の位置、及び／又は上記天井（4）の上記第１及び第２の側部の間に位置する上記第１電気コネクタ（14）の位置において、上記第２電気コネクタ（24）を上記第１電気コネクタ（14）に接続するステップ（S2）をさらに備えている
ことを特徴とするレイアウト方法。
【請求項１５】
上記第１電気コネクタ（14）を固定する上記ステップ（S1）は、
上記壁（10）の上記２つの側方端部（13）の間、及び／又は上記天井（4）の上記第１及び第２の側部の間に、上記空間に開口する仕切り溝（16）を形成するサブステップと、
上記壁（10）の上記２つの側方端部（13）の間、及び／又は上記天井（4）の上記第１及び第２の側部の間において、互いに実質的に平行に延びるように、上記仕切り溝内に３つの導電性ブレード（17）を設けるサブステップと、
上記各導電性ブレード（17）を、アース、グランド及び位相にそれぞれ対応する専用電線（18）に電気的に接続するサブステップとを備えている
請求項１４に記載のレイアウト方法。
【請求項１６】
上記第１電気コネクタ（14）にカバーを被せるステップをさらに備えている
請求項１４又は１５に記載の方法。
【請求項１７】
電気機器（2）に電力供給可能なように第１電気コネクタ（14）を備え、該第１電気コネクタ（14）が上記部屋の壁（10）又は天井（4）に固定された請求項１乃至１３のいずれか１つに記載の部屋の上記空間に延びるように構成された取り外し可能な仕切り（20）であって、
上記第１電気コネクタ（14）は、該第１電気コネクタ（14）が、上記壁（10）の上記２つの側方端部（13）の間のいくつかの点、及び／又は上記天井（4）の上記第１及び第２の側部の間のいくつかの点において、電気的に接続可能に構成されるように、上記壁（10）の上記２つの側方端部（13）の間、及び／又は上記天井（4）の上記第１及び第２の側部の間に延びる接続ストリップを備え、
電気機器（2）に電力を供給するために上記第１電気コネクタ（14）に電気的に接続されるように構成された第２電気コネクタ（24）を備え、
上記取り外し可能な仕切り（20）は、上記接続ストリップの任意の点において上記第１電気コネクタ（14）に電気的に接続されるように構成されている
ことを特徴とする仕切り。
【発明の詳細な説明】
【技術分野】
【０００１】
本発明は、拡張可能な家屋及びそのような拡張可能な家屋の構築方法に関するものである。
【背景技術】
【０００２】
個々の家屋所有者の個人的な暮らしは、時間の経過と共に変化することが予定されている（独身、夫婦、家屋の共同利用、１人以上の子供と同居、開業しているか否かに拘わらず在宅勤務している、家屋の特定のレイアウトが必要な障害の発生等）。このように、同じ家屋でも変化する可能性がある。より具体的には、家屋内の部屋の数、空間の大きさ、又は空間配置に使用される仕切りのタイプが、時間の経過とともに変化可能であることが望ましい。
【発明の概要】
【発明が解決しようとする課題】
【０００３】
仕切りの設置に適合した装飾のない面の賃借に提供される拡張可能な空間が知られている（特に、賃貸オフィスの分野において）。これらの拡張可能な空間は、仕切りの設置と電気的接続を可能にするために電気的に装備された床又は技術的な天井を有している。しかしながら、仕切りの設置は、難しく、専門家の介入が必要となるため、ユーザーにとって大きなコストが発生する。さらに、技術的な天井又は技術的な床への送電網の設置は、従来の床又は天井に比べて、大きさが大幅に大きくなり、その結果、占有者が使用可能な高さ又は同じ建物に対して実現可能な階数が減少してしまう。
【０００４】
先に仕切りが配置されたエリアを提供する家屋も知られている。これらの家屋には支持壁、床、及び電気的に装備された天井がある。しかしながら、新しい電源の変更又は作成、及び新しい仕切りの削除又は追加は、難しく、実現が困難であり、資格者に頼る必要がある。仕切りの削除は、床又は天井に穴があく可能性もあり、修繕又は復元が必要になる。
【０００５】
したがって、本発明の目的は、適度なコストで、資格者の介入を必要とせず、簡単且つ迅速に配置及び位置変更を行うことができる拡張可能な部屋を提供することにある。
【課題を解決するための手段】
【０００６】
本発明は、特に、住宅分野に用途が見出されるが、オフィス、ホテル、ユースホステル、店舗、又は改装される可能性のある他の空間のレイアウトのために実施されてもよい。
【０００７】
このために、本発明は、
−２つの側方端部によって分離された下端及び上端を有し、空間を画定する少なくとも１つの壁と、
−上記壁の上記上端に隣接する第１の側部と、該第１の側部から離れた第２の側部とを有する天井と、
−上記壁又は上記天井に固定され、電気機器に電力供給可能な第１電気コネクタと、
−上記空間内に延びる少なくとも１つの取り外し可能な仕切りと
を備えた部屋を提供する。
【０００８】
上記仕切りは、電気機器に電力を供給するために上記第１電気コネクタに電気的に接続されるように構成された第２電気コネクタを備え、上記第１電気コネクタは、上記壁の上記２つの側方端部間のいくつかの点、及び／又は上記天井の上記第１及び第２の側部の間のいくつかの点において上記第２電気コネクタとの電気的接続が可能に構成されている。
【０００９】
上記部屋のいくつかの好ましいが非限定的な特徴は、以下の通りであり、個々に又は組み合わせて用いられる。
−上記第１電気コネクタは、該第１電気コネクタが任意の点で上記第２電気コネクタと電気的に接続できるように、上記壁の上記２つの側方端部の間、及び／又は上記天井の第１及び第２の側部との間に延びる接続ストリップを備えている。
−上記第１電気コネクタは、電線タイプの予め配線されたベースボード上に固定された可動電源ソケットを有している。
−上記第１電気コネクタは、上記接続ストリップを形成する少なくとも３つの導電性ブレードを有し、該導電性ブレードは、上記壁の上記２つの側方端部の間、及び／又は上記天井の第１及び第２の側部の間において、互いに実質的に平行に延び、上記各導電性ブレードは、アース、グランド及び位相のそれぞれ対応する専用電線に接続され、上記第２電気コネクタは、上記各導電性ブレードの１つにそれぞれ接触するように構成された３つの導電性接点を有する電源ソケットを備えている。
−上記３つの導電性ブレードと上記３つの導電性接点は、絶縁材料によって互いに分離されている。
−上記第１電気コネクタは、上記壁の上記２つの側方端部の間に分配された複数の別個の電源ソケットを備えている。
−上記部屋は、上記壁の上記下端に隣接する床をさらに備え、上記第２電気コネクタは、上記部屋の上記天井又は上記床に隣接している。
−上記壁の上記下端に隣接する床をさらに備え、上記天井及び／又は上記床及び／又は上記壁は、上記仕切りを上記壁に対する所定位置に維持するための該仕切りの固定手段を備えている。
−上記固定手段は、上記天井、上記床、及び/又は上記壁に固定され、上記仕切りの端部を受け入れるように構成された少なくとも１つのレールと、上記仕切りと上記天井及び/又は上記床及び/又は上記壁との間の距離を調整するように構成されたシリンダと、一方は上記天井及び/又は上記床及び/又は上記壁に、他方は上記仕切りの上記端部に対向する領域にそれぞれ形成されたラッチ部材との少なくとも１つを備えている。
−上記仕切りは、上記第２電気コネクタから第３電気コネクタに延び、電気機器に電力を供給可能な電気ケーブルをさらに備えている。
−上記部屋は、追加の仕切りをさらに備え、該追加の仕切りは、上記第１電気コネクタに接続されるように構成された追加電気コネクタをさらに備えている。
−上記追加電気コネクタは、上記第１電気コネクタに直接的に、又は上記第２電気コネクタによって上記第１電気コネクタに間接的に接続されるように構成されている。
−上記第１電気コネクタに接続された回路遮断器をさらに備えている。
【００１０】
第２の態様では、本発明は、上述のような拡張可能な部屋のレイアウト方法を提供する。レイアウト方法は、以下のステップを備えている。
−上記部屋の上記壁の上記２つの側方端部の間、及び／又は上記部屋の上記天井の上記第１及び第２の側部の間に、上記第１電気コネクタが電気機器に電力供給可能なように、上記第１電気コネクタを固定するステップ
−上記空間内に、取り外し可能な仕切りを固定するステップ
−上記壁の上記２つの側方端部の間に位置する上記第１電気コネクタの位置、及び／又は上記天井の上記第１及び第２の側部の間に位置する上記第１電気コネクタの位置において、上記第２電気コネクタを上記第１電気コネクタに接続するステップ
【００１１】
上述のレイアウト方法のいくつかの好ましいが限定的ではない特徴は、以下の通りであり、個々に又は組み合わせて用いられる。
−上記第１電気コネクタを固定する上記ステップは、以下のサブステップを備える。
−上記壁の上記２つの側方端部の間、及び／又は上記天井の上記第１及び第２の側部の間に、上記空間に開口する仕切り溝を形成するサブステップ
−上記壁の上記２つの側方端部の間、及び／又は上記天井の上記第１及び第２の側部の間において、互いに実質的に平行に延びるように、上記仕切り溝内に３つの導電性ブレードを設けるサブステップ
−上記各導電性ブレードを、アース、グランド及び位相にそれぞれ対応する専用電線に電気的に接続するサブステップ
−上記方法は、上記第１電気コネクタにカバーを被せるステップをさらに備えている。
【図面の簡単な説明】
【００１２】
【図１】図１は、壁に接続された第１の仕切りと同様に接続可能な第２の仕切りとを備えた部屋の実施形態の部分斜視図である。
【図２】図２は、本発明による部屋で用いられる第１電気コネクタの実施形態の斜視図である。
【図３】図３は、図２の第１電気コネクタに接続可能な第２電気コネクタの斜視図である。
【図４】図４は、本発明による部屋で用いられる取り外し可能な仕切りの締結手段の締結例の側面図である。
【図５】図５は、本発明による部屋のレイアウト方法の実施形態の各ステップを示すフローチャートである。
【発明を実施するための形態】
【００１３】
本発明の他の特徴、目的及び効果は、以下の詳細な説明を非限定的な実施例として与えられる添付の図面を参照して読むことにより、よりよく理解される。
【００１４】
本発明による部屋１は、
２つの側方端部１３によって分離された下端１１と上端１２とを有し、空間５を画定する少なくとも１つの壁１０と、
上記壁の上端に隣接する第１の側部と、該第１の側部から離れた第２の側部とを有する天井４と、
壁１０又は天井４に固定され、電気機器２に電力供給可能な第１電気コネクタ１４と、
空間５内に延びる少なくとも１つの取り外し可能な仕切り２０と
を備えている。
【００１５】
従来、部屋１は、複数の壁１０を有することができ、壁１０の各々には、壁１０に対して実質的に垂直に延びるドア、窓、開口部などの１つ以上の建具要素と天井４と床３とを備えることができる。天井４は壁１０の上端１２に隣接し、床３はその下端１１に隣接している。したがって、壁１０、天井４及び床３は、共に仕切り２０を受け入れる空間５を画定する。
【００１６】
壁１０の全部又は一部が、支持壁であってもよく、単純な固定仕切り（取り外し可能な仕切り２０とは反対の）を備えていてもよい。
【００１７】
取外し可能な仕切り２０は、実質的に平行であり、端部２３によって分離された第１面２１及び第２面２２を有している。取り外し可能な仕切り２０は、木材又は金属製のフレーム、１つ又は複数の石膏パネル、ガラス、プラスチック、植生仕切り等を備えていてもよい。
【００１８】
取り外し可能な仕切り２０は、電気機器２に電力を供給するために、上記壁１０の上記第１電気コネクタ１４に電気的に接続されるように構成された第２電気コネクタ２４をさらに備えている。さらに、上記壁１０の上記第１電気コネクタ１４は、壁１０の２つの側方端部１３の間の複数個所、及び／又は天井４の第１の側部と第２の側部との間の複数個所において、固定される場所に応じて、上記第２電気コネクタ２４との電気的に接続可能に構成されている。
【００１９】
このようにして、取り外し可能な仕切り２０の電気的接続は、壁１０又は天井４に沿った複数個所で実行されてもよい。したがって、ユーザーは、壁１０及び／又は天井４に固定された第１電気コネクタ１４の固有の固定位置に制約されることなく、取り外し可能な仕切り２０を壁１０に対してどの位置に配置するかを自由に選択することができる。
【００２０】
天井４の第１の側部は、壁１０の上端１２に沿って延び、天井４の第２の側部は、壁１０の上端１２から離れた位置において延びている。この場合、第１電気コネクタ１４が天井４に取り付けられると、第１電気コネクタ１４は、天井４の第１の側部と第２の側部との間、即ち、壁１０の上端１２に垂直に延びることとなる。
【００２１】
あるいは、天井４の第１の側部が壁１０の両側方端部１３の一方の延長部内に延び、天井４の第２の側部が壁１０の両側方端部１３の他方の延長部内に延びていてもよい。この場合、第１電気コネクタ１４が天井４に固定されると、第１電気コネクタ１４は、天井４の第１の側部と第２の側部との間、即ち、壁１０の上端１２と実質的に平行に延びることとなる。
【００２２】
もちろん、他の構成も考えられる。一般的には、天井４の両側方端部は、第１電気コネクタ１４が壁１０の上端１２と０°でなく９０°でもない角度を形成するように決定することができる。
【００２３】
以下では、第１電気コネクタ１４が壁１０の両側方端部１３の間に固定されている場合について、本発明をより具体的に説明する。しかしながら、本発明は、これに限定されず、第１電気コネクタ１４が第１の側部と第２の側部との間の天井４に固定されている部屋１にも準用して適用可能であり、同様に、部屋１が両側方端部１３の間の壁１０に固定された第１電気コネクタ１４と、第１の側部と第２の側部との間の天井４に固定された第１電気コネクタ１４をと備える場合にも適用可能である。この変形例は、壁１０の位置とは無関係に、部屋１の任意の場所で、実用的且つ容易な固定及び電気接続を可能にするという利点を有する。
【００２４】
第１電気コネクタ１４は、壁１０の内面１０ａ（これは壁１０の空間５に対向して延びる壁１０の面に対応する）に取り付けられて固定され、第１電気コネクタ１４の嵩を低減するために、壁１０の内面１０ａに形成された空間５に開口する溝１６内に収容されている。例えば、第１電気コネクタ１４は、壁１０の内面１０ａに取り付けられる又は壁１０の内面１０ａに形成された溝１６に取り付けられたシュート１５内に収容されていている。
【００２５】
天井４に固定する場合、第１電気コネクタ４は、部屋１の空間５に向かって延びる床３の延伸方向に延びる天井４の面に固定することができることが理解されよう。
【００２６】
第１の実施形態では、第１電気コネクタ１４は、２つの側方端部１３の間の壁１０に沿って連続的に取り外し可能な仕切り２０の接続を許容するように構成されている。
【００２７】
このために、第１電気コネクタ１４は、例えば、壁１０の両側方端部１３の間に延びる接続ストリップを備えていてもよい。
【００２８】
一般的には、第１電気コネクタ１４は、電気ストリップタイプの予め配線されたベースボード上に固定された可動電源ソケットを備えていてもよく、電源ソケットの位置は、予め配線されたベースボードに沿って自由に変更することができる。第２電気コネクタ２４は、第１電気コネクタ１４の可動電源ソケットに接続されるように構成された追加の電源ソケットを備えていてもよい。一般的には、可動電源ソケット及び追加の電源ソケットは、従来の雄雌電源ソケットでよい。
【００２９】
あるいは、第１電気コネクタ１４は、壁１０の両側方端部１３の間に互いに実質的に平行に延びる少なくとも３つの導電性ブレード１７を備えていてもよい。各導電性ブレード１７は、アース、グランド及び位相に応じた専用の電線１８に接続されている。導電性ブレード１７は、好ましくは、それらの全長にわたって、例えば０．５〜２ｃｍ程度の距離だけ互いから離間されている。また、第２電気コネクタ２４は、導電性ブレード１７の１つにそれぞれ接触するように構成された３つの導電性接点２５を有する補完的な形状及び寸法の電源ソケットを備えていてもよい。各導電性接点２５は、アース、グランド及び位相にそれぞれ応じた専用電気ケーブルに接続されている。電源ソケットは、例えば、導電性接点２５の１つをそれぞれ収容する３つの切欠き２７が形成された電線１８に接続されたベース２６を有していてもよい。
【００３０】
各切欠き２７は、導電性接点２５の存在にも拘わらず、ブレードを切欠き２７内へ十分な表面接触を確保しながら挿入可能にするために、導電性ブレード１７の厚さよりわずかに大きい厚さを有するのが好ましい。例えば、約３ｍｍの厚さを有するブレード及び０．４ｍｍの厚さを有する導電性接点２５の場合、切欠き２７は、約３．５ｍｍの厚さを有することができる。
【００３１】
導電性ブレード１７は、特に、金属、一般的には銅で作ることができる。
【００３２】
電気ケーブルは、任意の手段によって導電性ブレード１７に固定される。例えば、電気ケーブルは、上記導電性ブレード１７に形成された貫通孔に挿入することによって、導電性ブレード１７上に溶接すること、及び／又は機械的に固定することができる。
【００３３】
１つの実施形態では、導電性ブレード１７は、その長さの全部又は一部に亘って絶縁材料によって分離される。例えば、導電性ブレード１７の間に配置することができる絶縁材料からなるくさび１９、又はブレードを受け入れるように配置された３つの直線溝を含む単一のくさび１９を使用することができる。絶縁材料は、木材、耐熱プラスチック材料、キャンバスタイプのセレロン（Celeron）（登録商標）のフェノール樹脂を含浸させた布地の層を含む層状材料を備えていてもよい。
【００３４】
同様に、導電性接点２５とは別に、第２電気コネクタ２４の電源ソケットは、木材、耐熱プラスチック材料、キャンバスタイプのセレロン（Celeron）（登録商標）のフェノール樹脂を含浸させた布地の層を含む層状材料で形成されていてもよい。
【００３５】
安全性の問題のために、導電性ブレード１７は、第２電気コネクタ２４を使用して電気的に接続され得る取外し可能な壁の数を制限するために、所定の最大長を有することができる。例えば、所定の最大長は３ｍであってもよい。
【００３６】
第２の実施形態によれば、第１電気コネクタ１４は、壁１０の両側方端部１３の間に分配された複数の別個の電気コンセントを含むことができる。第２電気コネクタ２４は、第１電気コネクタ１４の電源ソケットに接続される。
【００３７】
上記実施形態に拘わらず、第１電気コネクタ１４は、電気回路における故障の場合（例えば過負荷又は短絡）に、第１電気コネクタ１４に流れる電流を遮断するために回路遮断器に接続されてもよい。
【００３８】
第１電気コネクタ１４は、好ましくは、壁１０の上端１２又は下端１１に隣接する領域内において延びている。実際、このような構成は、壁１０及び／又は取外し可能な仕切り２０によって支持される可能性のある建具類をより簡単にバイパスすることを可能にする。次に、取り外し可能な仕切り２０の第２電気コネクタ２４は、仕切り２０の端部２３の上部又は下部のいずれかに対向して延びている。第２電気コネクタ２４は、仕切り２０の上記２つの面２１，２２の１つ、又は上記端部２３に直接的に固定してもよい。あるいは、第２電気コネクタ２４は、例えば、仕切り２０のコーナーにおいて、該仕切り２０の厚み内に形成された凹部内に収容することができる（例えば、図１に示すように）。
【００３９】
仕切り２０は、ランプのような電気機器２の接続を可能にするために、仕切り２０の２つの面２１，２２の１つに固定され、第２電気コネクタ２４に電気的に接続された少なくとも第３電気コネクタ２８をさらに備えていてもよい。第２電気コネクタ２４は、例えば、電気ケーブル２９を用いて第３電気コネクタ２８に電気的に接続される。電気ケーブル２９は、特に仕切り２０内に、例えば、その両面２１，２２の間に形成されたシュート（ｃｈｕｔｅ）内に収容することができる。
【００４０】
あるいは、電気ケーブルは、ユーザーが第３電気コネクタ２８を電気的に接続し、それを仕切り２０の面２１，２２上の所望の位置に固定することができるようにするために、ユーザーにアクセス可能にして、第２電気コネクタ２４に簡単に接続されるようにしてもよい。
【００４１】
部屋１は、１つ又は複数の壁１０に電気的に接続され得る１つ又は複数の取り外し可能な仕切り２０を備えていてもよい。
【００４２】
例えば、部屋１は、同じ壁１０に直接接続された２つの取外し可能な仕切り２０を有することができる。このために、各仕切り２０の第２電気コネクタ２４は、壁１０の第１電気コネクタ１４と並列に接続される。図２に示すように、第１電気コネクタ１４が３つの導電性ブレード１７を備える場合、各仕切り２０の第２電気コネクタ２４のベース２６は、電流の伝達を可能にするために、導電性ブレード１７の間に挿入されてもよい。
【００４３】
部屋１は、同じ壁１０に直列に接続された２つの取外し可能な仕切り２０を備えていてもよい。したがって、この変形例では、第１の仕切り２０は、第２電気コネクタ２４及び第１電気コネクタ１４を介して、部屋１の壁１０に電気的に接続される。第１の仕切り２０は、追加電気コネクタ３０をさらに備え、一方、第２の仕切り２０は、追加電気コネクタ３０の相補的な電気コネクタ３１を備える。そして、第２の仕切り２０の相補的な電気コネクタ３１を第１の仕切り２０の追加電気コネクタ３０に接続して、第２の仕切り２０を通って可能性のある電気機器２（又は第３の取外し可能な仕切り２０等）に電流を分配することを可能にする。追加電気コネクタ３０及び相補的な電気コネクタ３１は、雄雌電源ソケットタイプのものであってもよい。あるいは、追加電気コネクタ３０は、壁１０の第１電気コネクタ１４と実質的に同一であり、相補的な電気コネクタ３１は、第１の仕切り２０の第２電気コネクタ２４と実質的に同一であってもよい。
【００４４】
第１及び第２の取り外し可能な仕切り２０は、（図1に示すように）互いの延長線上に延びるように接続されていてもよく、あるいは、１８０°とは異なる角度で、典型的には、互いに直交するように形成することによって接続されてもよいことが理解されよう。
【００４５】
各取外し可能な仕切り２０は、任意の従来の締結手段によって床３及び／又は天井４及び／又は壁１０に固定することができる。
【００４６】
例えば、固定手段は、床３、天井４及び／又は壁１０に固定され、取り外し可能な仕切り２０の端部２３に面する部分を受け入れるように構成されたレール３２を備えていてもよい。レール３２は、例えば、床３、天井４及び／又は壁１０上に取り付けられて固定された（例えば、自己穿孔ネジ３４ａを用いて）底板３３と、該底板３３から延びるフィン３４とを備えている。この場合、取外し可能な仕切り２０の端部２３は、壁１０に対して所望の位置に達するまでレール３２に挿入されて案内され、そして、取外し可能な仕切り２０は、例えば、フィン３４を対向する面２１，２２にねじ止めするか接着することにより、この位置に固定することができる。
【００４７】
あるいは、締結手段は、一方では天井４及び／又は床３及び／又は壁１０にそれぞれ形成され、他方では仕切り２０の端部２３に面する領域に形成されたラッチ部材を備えていてもよい。
【００４８】
選択的に、取り外し可能な仕切り２０は、仕切り２０と床３、天井４又は壁１０との間の距離を調整するように構成されたシリンダ３５を備えていてもよい。したがって、シリンダ３５は、天井４、床３及び壁１０に対する取り外し可能な仕切り２０を安定化させ、適切であれば、接触面における不規則性を補償する。必要であれば、取外し可能な仕切り２０は、端部２３に亘って分配された複数のシリンダ３５ｓを備えていてもよい。１つ以上のアクチュエータ３５は、空気圧式、油圧式又は機械式であってもよい。
【００４９】
従来、シリンダ３５は、シリンダ本体３５とピストン３６とを備え、ピストン３６は、シリンダ３５の本体内で平行移動可能である。シリンダ３５の本体は、例えば、仕切り２０に固定されてもよく、ピストン３６の自由端はプレート３７に連結されてもよい。シリンダ３５の作動は、部屋１の面積に応じてプレートが床３、天井４又は壁１０に当接するまで、仕切り２０を安定させるためにシリンダ３５と協働してプレートを移動させる効果を有する。必要であれば、部屋１の領域は、プレートを受け取り、プレートを所定の位置に保持することを意図したハウジング３８を備えていてもよい。
【００５０】
取り外し可能な仕切り２０のグリップ及び安定性を改善するために、任意選択的に、取り外し可能な仕切り２０と床３及び／又は天井４及び／又は支持壁１０との間に、滑り止めブレードをさらに締結してもよい。
【００５１】
必要に応じて、ホームオートメーションの分野における適用を可能にするために、第１電気コネクタ１４を有する壁１０に１つ以上の追加の第１の接続部を組み込むことができ、第２の相補的な接続部は、情報（インターネットアクセス、周辺装置制御データ転送、電話データ等）の送信及び交換を可能にするために、第２電気コネクタ２４に接続される。例えば、第１の追加の接続部は、第１電気コネクタ１４に沿って延びる１つ以上の専用の金属ブレードを備えてもよい。第１電気コネクタ１４と同様に、壁１０に収容される第１の接続部は、両側方端部１３の間の壁１０の複数箇所に接続可能に構成されるのが好ましい。
【００５２】
択一的に又は相補的に、第１電気コネクタ１４は、部屋の電気ネットワークを介してデータの交換を可能にするために、電力線搬送（Ｐｏｗｅｒ  Ｌｉｎｅ  Ｃａｒｒｉｅｒ）技術の範囲内において、第１の接続部として用いられてもよい。
【００５３】
次に、本発明に係る部屋１のレイアウト方法Ｓの実施形態を説明する。
【００５４】
ここで、部屋１は、少なくとも１つの壁１０、例えば、電気基板７に接続された少なくとも１つの導電体６を備えた支持壁１０を備えている。導電体６は、特に、アース、 位相及び中性端子にそれぞれ対応する電気ケーブルを備えている。
【００５５】
また、部屋１は、従来の天井４及び床３も備えている。
【００５６】
第１のステップＳ１において、第１電気コネクタ１４が壁１０の導電体６に接続される。この目的のために、壁１０の上端１２に隣接する領域に、壁１０の一方の側端から他方の側端まで延びる仕切り溝１６が形成されてもよい。したがって、仕切り溝１６は、上部領域において、壁１０の全長に亘って延びている。
【００５７】
あるいは、仕切り溝１６は、壁１０の中央領域又はその下端１１に近接して延びていてもよい。
【００５８】
必要であれば、回路遮断器を第１電気コネクタ１４に固定することができる。
【００５９】
図１に示すように、３つの導電性ブレード１７を有する第１電気コネクタ１４の場合、シュートは、例えば、接着、ねじ止め（例えば、自己穿孔ねじを使用して）又は接着によって、仕切り溝１６に締結することができる。その場合、導電性ブレード１７をシュート１５に固定することができる。必要に応じて、導電性ブレード１７は、絶縁材料によって分離することができる。ここで、シュート１５には、３つの切欠き２７を含む絶縁材からなるくさび１９が等間隔で固定されており、導電性ブレード１７は、切欠き２７の所定の位置に収容保持されている。
【００６０】
勿論、シュート１５は、事前に装備することができ、仕切り溝１６に固定する前に、楔１９と導電性ブレード１７を備えることができる。
【００６１】
そして、電線１８が、電流を供給するように導電性ブレード１７上に固定される。
【００６２】
電気ストリップ又は壁１０の両側方端部１３の間に分配された複数の別個の電源ソケットを備える第１電気コネクタ１４の場合、電気ストリップ又は電源ソケットは、仕切り溝１６内に配置され、壁１０の導電体６に、従来の方法で接続され、例えば、接着、ねじ止め又は接着によって適所に固定される。
【００６３】
第２のステップＳ２では、取外し可能な仕切り２０が壁１０に固定されると共に電気的に接続される。
【００６４】
取り外し可能な仕切り２０は、第２電気コネクタ２４を予め装備していてもよい。あるいは、取り外し可能な仕切り２０は、キットとして提供され、ユーザーのニーズに応じてユーザーによって組み立てられてもよい。
【００６５】
壁１０が３つの導電性ブレード１７を含む第１電気コネクタ１４を備える場合、取り外し可能な仕切り２０は、相補的な第２電気コネクタ２４、即ち、図３に示すように３つの導電性接点２５を有するベース２６を備える。
【００６６】
あるいは、第２電気コネクタ２４は、電気ストリップの可動電源ソケット又は個々の個別電源ソケットの１つに相補的な個々の電源ソケットを備えることができる。
【００６７】
この実施形態では、第１電気コネクタ１４が壁１０の上部に配置されている。また、第２電気コネクタ２４は、仕切り２０を壁１０に電気的に接続するのを容易にするために、仕切り２０の端部２３の上部において延びている。仕切り２０は、第２電気コネクタ２４を少なくとも部分的に収容するために、壁１０とは反対側に延びる端部２３の所定の部分に形成された凹部を備えていてもよい。このように、仕切り２０が壁１０に電気的に接続される際、第２電気コネクタ２４は隠されている。
【００６８】
仕切り２０は、該仕切り２０の面２１，２２の一方に固定され、第２電気コネクタ２４に電気的に接続された第３電気コネクタを予め装備していてもよい。
【００６９】
あるいは、仕切り２０は、追加の仕切り２０を接続するために、追加のコネクタを予め備えることができる。
【００７０】
さらに別の変形例によれば、電気ケーブルは、第３電気コネクタ２８を電気的に接続し、それを面２１，２２上の所望の位置に固定し、及び／又は、追加の仕切り２０を接続するために追加のコネクタを接続することができるように、ユーザーがアクセス可能にすることによって、容易に第２電気コネクタ２４に接続することができる。
【００７１】
キットとして予め装備又は組立てられた仕切り２０を接続するには、仕切り２０の第２電気コネクタ２４を壁１０の第１電気コネクタ１４に接続すれば十分である。壁１０に対する仕切り２０の位置は、ユーザーが自由に選択することができ、壁１０に沿って延びる第１電気コネクタ１４の位置に制約されない。
【００７２】
第３のステップＳ３の間、取外し可能な仕切り２０を所定の位置に固定してもよい。
【００７３】
任意の固定手段が考慮され得る。仕切り２０の端部２３を受け入れるために、例えば、レール３２及び任意の滑り止めブレードが床３及び壁１０上に固定されていてもよい。その後、仕切り２０の面２１，２２のうちの１つにレール３２のフィン３４（又は複数のフィン３４）を固定することによって仕切り２０を塞ぐことでも十分である。
【００７４】
必要に応じて、仕切り２０が天井４、壁１０又は床３に対してその位置を調整するためにシリンダ３５を備える場合、シリンダ３５は、プレート３７が部屋１のこの部分に当接するまで作動され得る。
【００７５】
勿論、第２及び第３のステップＳ２，Ｓ３は、同時に又は逆の順序で実行されてもよい。特に、仕切り２０は、ユーザーによる所望の位置において壁１０に対向させて設置するのと、第１及び第２電気コネクタ１４，２４を用いて壁１０に電気的に接続するのと、選択された締結手段を用いてこの位置に固定するのとを同時に行うことができる。
【００７６】
そして、取外し可能な仕切り２０を使用する準備が整う。
【００７７】
上述したように、必要に応じて、追加の仕切り２０を壁１０上に同様に固定し、電気的に接続するか、又は床３（及び／又は天井４）に固定し、且つ上記仕切り２０に既に取り付けられ電気的に接続されている仕切り２０に取り付けることができる。そして、２つの仕切り２０は、直列に接続される。
【００７８】
必要であれば、第１電気コネクタ１４を隠すために、該第１電気コネクタ１４にカバーを固定することができる。カバーは、例えば、プラスチック材料又は木材でできたベースボード又は剛性プレートとすることができる。カバーは、別のコネクタの後続の接続又は可動仕切り２０の変位を可能にし、次いで第２電気コネクタ２４の切断及び再接続を可能にするために取り外し可能にすることが好ましい。
【００７９】
第４のステップＳ４の間に、電気機器２を仕切り２０の１つに固定して該仕切り２０の第３電気コネクタ２８に電気的に接続することができる。第３電気コネクタ２８は第１及び第２電気コネクタ１４，２４を介して供給される。
【図１】
2018530689.tif 000003
【図２】
2018530689.tif 000004
【図３】
2018530689.tif 000005
【図４】
2018530689.tif 000006
【図５】
2018530689.tif 000007
【国際調査報告】
2018530689.tif 000008
2018530689.tif 000009
2018530689.tif 000010
2018530689.tif 000011